(57)【要約】改善された電子チケットの使用方法等を提供することを目的とする。電子チケットの使用方法は、電子チケットの利用者が所持する端末装置において、当該電子チケットを使用するタイミングでキー情報を生成するステップと、生成したキー情報と、当該電子チケットの識別情報及び利用者の識別情報の少なくとも一方とに基づく電子チケット使用要求を、端末装置が出力するステップと、を備える。
2018225812.tif 000002
【特許請求の範囲】
【請求項１】
電子チケットの利用者が所持する端末装置において、当該電子チケットを使用するタイミングでキー情報を生成するステップと、
生成した前記キー情報と、当該電子チケットの識別情報及び前記利用者の識別情報の少なくとも一方とに基づく電子チケット使用要求を、前記端末装置が出力するステップと、
を備える電子チケットの使用方法。
【請求項２】
前記キー情報は、当該電子チケットを使用するタイミングにおける時刻及び前記端末装置の位置の少なくとも一方を示す情報に基づき生成されることを特徴とする請求項１に記載の電子チケットの使用方法。
【請求項３】
前記端末装置が電子チケットの識別情報を記憶するステップと、
前記端末装置が備えるタッチパネルディスプレイへの接触位置を検出するステップと、
前記端末装置が検出した前記接触位置が所定の条件を満たしているか否かを判定するステップと、
をさらに備え、
前記出力するステップは、前記判定するステップで所定の条件を満たしていると判定したことを条件に、前記電子チケット使用要求を出力することを特徴とする請求項１または２に記載の電子チケットの使用方法。
【請求項４】
前記キー情報は、前記検出するステップにおいて検出した接触位置に応じた情報に基づき生成されることを特徴とする請求項３に記載の電子チケットの使用方法。
【請求項５】
前記検出するステップにおいて、前記タッチパネルディスプレイは、複数の接触位置を検出し、
前記判定するステップにおいて、複数の接触位置が所定の基準接触位置パターンに合致するか否かを判定することを特徴とする請求項３または４に記載の電子チケットの使用方法。
【請求項６】
前記出力するステップにおいて、前記端末装置が前記タッチパネルディスプレイを用いた可視光通信により前記電子チケット使用要求を送信することを特徴とする請求項３から５の何れか１項に記載の電子チケットの使用方法。
【請求項７】
前記検出するステップにおいて検出した接触位置に基づき、前記可視光通信に用いる前記タッチパネルディスプレイ内の領域を決定するステップをさらに備え、
前記出力するステップにおいて、前記決定するステップで決定されたタッチパネルディスプレイ内の領域を用いて前記可視光通信を行うことを特徴とする請求項６に記載の電子チケットの使用方法。
【請求項８】
前記可視光通信は、前記タッチパネルディスプレイのバックライトを点滅させることにより実現されることを特徴とする請求項６または７に記載の電子チケットの使用方法。
【請求項９】
前記接触位置が検出されなくなったことに応じて、前記可視光通信を終了するステップをさらに備えることを特徴とする請求項６から８の何れか１項に記載の電子チケットの使用方法。
【請求項１０】
前記出力するステップにおいて、前記端末装置が表示部に表示する動画により前記電子チケット使用要求を送信することを特徴とする請求項１から５の何れか１項に記載の電子チケットの使用方法。
【請求項１１】
前記チェック装置が前記電子チケット使用要求を受信し、当該電子チケット使用要求に含まれるキー情報と、電子チケットの識別情報及び／又は前記利用者の識別情報とが正当であることを確認するステップをさらに備えることを特徴とする請求項１から１０の何れか１項に記載の電子チケットの使用方法。
【請求項１２】
タッチパネルディスプレイを備えるコンピュータに、請求項１から１０の何れか１項に記載の電子チケットの使用方法を実行させることを特徴とするプログラム。
【請求項１３】
電子チケットの利用者により所持される端末装置であって、
当該電子チケットを使用するタイミングでキー情報を生成するキー情報生成手段と、
生成した前記キー情報と、当該電子チケットの識別情報及び前記利用者の識別情報の少なくとも一方とに基づき電子チケット使用要求を生成して出力する出力手段と、
を備える端末装置。
【請求項１４】
前記キー情報は、当該電子チケットを使用するタイミングにおける時刻及び前記端末装置の位置の少なくとも一方を示す情報に基づき生成されることを特徴とする請求項１３に記載の端末装置。
【請求項１５】
電子チケットの識別情報を記憶する記憶手段と、
接触位置を検出するタッチパネルディスプレイと、
前記タッチパネルディスプレイが検出した前記接触位置が所定の条件を満たしているか否かを判定する判定手段と、
をさらに備え、
前記出力手段は、前記判定手段が、前記所定の条件を満たしていると判定したことを条件に、前記電子チケット使用要求を、送信することを特徴とする請求項１３または１４に記載の端末装置。
【請求項１６】
前記キー情報生成手段は、前記検出手段において検出した接触位置に応じた情報に基づき前記キー情報を生成することを特徴とする請求項１５に記載の端末装置。
【請求項１７】
タッチパネルディスプレイを用いた可視光通信により前記電子チケット使用要求を送信することを特徴とする請求項１３から１６の何れか１項に記載の端末装置。
【請求項１８】
表示部を備え、当該表示部に表示する動画により前記電子チケット使用要求を送信することを特徴とする請求項１３から１６の何れか１項に記載の端末装置。
【請求項１９】
筐体と、
前記筐体の底面の周縁部に設けられた複数の接触部材と、
前記筐体の底面の中央部に入射する光を受光する受光素子と、
を備え、
外部装置のタッチパネルディスプレイに対し前記複数の接触部材を接触させることにより、当該外部装置に前記電子チケット使用要求を、前記タッチパネルディスプレイを用いた可視光通信により送信せしめ、
前記受光素子により、可視光通信により送信された前記電子チケット使用要求を受信することを特徴とする電子チケットのチェック装置。
【請求項２０】
受信した前記電子チケット使用要求に基づいて電子チケットの使用可否を判定することを特徴とする請求項１９に記載の電子チケットのチェック装置。
【発明の詳細な説明】
【技術分野】
【０００１】
本発明は、電子チケットの使用方法、電子チケットシステムにて利用されるプログラム、端末装置、チェック装置等に関する。
【背景技術】
【０００２】
近年、スマートフォン等の携帯端末が普及したことに伴い、入場券を電子データ化した電子チケットを携帯端末に配布し、入場口において入場者の端末に格納されている電子チケットを確認することにより入場可否を判断する電子チケットシステムが提案されている。また、景品や割引等の優待を享受する権利を利用者に発行するためのクーポン券を電子データ化して携帯端末に配布するいわゆる電子クーポンも提案されている。以下の説明では、電子的に発行されるクーポン、スタンプカード、イベントチケット、商品引換券等、インターネット等を介して電子的に発行されるクーポンやチケットを総称して「電子チケット」という。【０００３】
入場券を電子データ化した電子チケットを利用する際に、入場口において入場可否を判断する手法としては、例えば、特許文献１には、スマートフォンの画面に同時多点接触が可能なスタンプを用いて、電子チケットを記録した携帯端末に当該電子チケットに対応したスタンプを押し当て、携帯端末が検出した接触位置のパターンを照合することにより入場可否を判断する電子チケットシステムが開示されている。【０００４】
また、特許文献２には、表示画面に使用する電子クーポンに対応するバーコードや二次元コードを表示させ、これをリーダで読み取る等の処理に応じてクーポンの使用可否を判断するとともに電子クーポンを抹消する処理を行う電子クーポンシステムが開示されている。
【先行技術文献】
【特許文献】
【０００５】
【特許文献１】特開２０１５−５２７５号公報
【特許文献２】特開２０１２−２４８０７３号公報
【発明の概要】
【発明が解決しようとする課題】
【０００６】
上記のように、電子チケットの使用可否を確認したり、電子チケットの再使用ができないようにいわゆる消し込みをしたりするために、使用する場面において電子チケットを携帯端末に表示させた上で処理を行う必要があるが、不正防止や利便性の観点での課題が存在する。【０００７】
例えば、特許文献１に記載の方法では、電子チケットを消し込んだ時の表示を画像（すなわち動画や静止画）として記録しておき、入場時にその画像を再生表示することで不正な入場が可能となるおそれがある。【０００８】
また、特許文献２に記載の方法では、バーコードや二次元コードが含まれる画面を画像として記録し複製することで、不正な複製や配布が可能となるおそれがある。また、消し込みの処理を行う際には、バーコードや二次元コードを読み取るリーダ側において焦点を合わせるための時間が必要である。このため特許文献２の方法では処理速度に限界があり、利便性を損なうおそれがある。【０００９】
本発明は、上記課題の解決のためになされたものであり、改善された電子チケットの使用方法、並びにこれに適した端末装置、プログラム、及びチェック装置を提供することを目的とする。
【課題を解決するための手段】
【００１０】
上記の課題を解決すべく、本発明に係る電子チケットの使用方法は、電子チケットの利用者が所持する端末装置において、当該電子チケットを使用するタイミングでキー情報を生成するステップと、生成したキー情報と、当該電子チケットの識別情報及び利用者の識別情報の少なくとも一方とに基づく電子チケット使用要求を、端末装置が出力するステップと、を備える。【００１１】
本発明では、キー情報は、当該電子チケットを使用するタイミングにおける時刻及び端末装置の位置の少なくとも一方を示す情報に基づき生成されるとよい。【００１２】
本発明では、端末装置が電子チケットの識別情報を記憶するステップと、端末装置が備えるタッチパネルディスプレイへの接触位置を検出するステップと、端末装置が検出した接触位置が所定の条件を満たしているか否かを判定するステップと、をさらに備え、出力するステップは、判定するステップで所定の条件を満たしていると判定したことを条件に、電子チケット使用要求を出力するとよい。【００１３】
本発明では、キー情報は、検出するステップにおいて検出した接触位置に応じた情報に基づき生成されるとよい。【００１４】
本発明では、検出するステップにおいて、タッチパネルディスプレイは、複数の接触位置を検出し、判定するステップにおいて、複数の接触位置が所定の基準接触位置パターンに合致するか否かを判定するとよい。【００１５】
本発明では、出力するステップにおいて、端末装置がタッチパネルディスプレイを用いた可視光通信により電子チケット使用要求を送信するとよい。この場合、検出するステップにおいて検出した接触位置に基づき、可視光通信に用いるタッチパネルディスプレイ内の領域を決定するステップをさらに備え、出力するステップにおいて、決定するステップで決定されたタッチパネルディスプレイ内の領域を用いて可視光通信を行うと特によい。【００１６】
本発明では、可視光通信は、タッチパネルディスプレイのバックライトを点滅させることにより実現されるとよい。【００１７】
本発明では、接触位置が検出されなくなったことに応じて、可視光通信を終了するステップをさらに備えるとよい。【００１８】
本発明では、チェック装置が電子チケット使用要求を受信し、当該電子チケット使用要求に含まれるキー情報と、電子チケットの識別情報及び／又は利用者の識別情報とが正当であることを確認するステップをさらに備えるとよい。【００１９】
本発明に係るプログラムは、タッチパネルディスプレイを備えるコンピュータに、上記何れかの電子チケットの使用方法を実行させることを特徴とする。【００２０】
本発明に係る端末装置は、電子チケットの利用者により所持される端末装置であって、当該電子チケットを使用するタイミングでキー情報を生成するキー情報生成手段と、生成したキー情報と、当該電子チケットの識別情報及び利用者の識別情報の少なくとも一方とに基づき電子チケット使用要求を生成して出力する出力手段と、を備える。【００２１】
本発明では、キー情報は、当該電子チケットを使用するタイミングにおける時刻及び端末装置の位置の少なくとも一方を示す情報に基づき生成されるとよい。【００２２】
本発明では、端末装置は、電子チケットの識別情報を記憶する記憶手段と、接触位置を検出するタッチパネルディスプレイと、タッチパネルディスプレイが検出した接触位置が所定の条件を満たしているか否かを判定する判定手段と、をさらに備えるとよい。そして、出力手段は、判定手段が、所定の条件を満たしていると判定したことを条件に、電子チケット使用要求を、送信するとよい。【００２３】
本発明では、キー情報生成手段は、検出手段において検出した接触位置に応じた情報に基づきキー情報を生成するとよい。【００２４】
本発明に係るチェック装置は、筐体と、筐体の底面の周縁部に設けられた複数の接触部材と、筐体の底面の中央部に入射する光を受光する受光素子と、を備え、外部装置のタッチパネルディスプレイに対し複数の接触部材を接触させることにより、当該外部装置に電子チケット使用要求を、タッチパネルディスプレイを用いた可視光通信により送信せしめ、受光素子により、可視光通信により送信された電子チケット使用要求を受信することを特徴とする。【００２５】
本発明では、チェック装置は、受信した電子チケット使用要求に基づいて電子チケットの使用可否を判定するとよい。
【図面の簡単な説明】
【００２６】
【図１】電子チケットシステムの構成を示す模式図である。
【図２】サーバの構成を示すブロック図である。
【図３】携帯端末の構成を示すブロック図である。
【図４】チェック装置の外観を示す斜視図である。
【図５】チェック装置の構成を示すブロック図である。
【図６】電子チケットの券面の一例を示す。
【図７】電子チケット購入時の電子チケットシステム１の処理手順を示すフローチャートである。
【図８】電子チケット使用要求情報のフォーマットの一例を示す。
【発明を実施するための形態】
【００２７】
以下、図面を参照して本発明の実施の形態を説明する。
【００２８】
〔電子チケットシステムの基本構成〕
図１に示すように、電子チケットシステム１は、サーバ２と、携帯端末３と、チェック装置４とを備える。携帯端末３及びチェック装置４は、インターネット等のネットワークＮＷを介してサーバ２と通信可能とされる。また、携帯端末３は、可視光通信の送信機として機能し、チェック装置４は可視光通信の受信機として機能する。この可視光通信により、携帯端末３はチェック装置４に情報を送ることができる。
【００２９】
〔サーバの構成〕
サーバ２は、例えば、コンピュータシステムであり、キーボード、マウス、タッチパネル等の入出力装置、ＣＰＵ（Central Processing Unit）等の演算部及びＲＡＭ（Random Access Memory）、ＲＯＭ（read only memory）等の記憶装置を備えた本体、ＣＲＴ（Cathode Ray Tube）やＬＣＤ（Liquid Crystal Display）等の表示装置等から構成される。
【００３０】
図２に示すように、サーバ２は、少なくとも、記憶部２１、制御部２２及び通信部２３を備える。サーバ２の記憶部２１には、制御部２２にて実行されるプログラムや、当該プログラムで用いられるデータ等が記憶されている。例えば、記憶部２１は、電子チケットシステム１におけるサーバ２の機能を実現するためのプログラム、電子チケットに関するデータベースＤＢ、決済処理を行うプログラム等を記憶する。サーバ２は、上記の各構成が物理的に一体として構成されていなくてもよい。例えば、上記構成要素の一部または全部が遠隔地に分散して配置されていてもよく、それらが協働してサーバ２として機能するようにすればよい。
【００３１】
データベースＤＢは、電子チケットに関する情報（例えば、一意のチケットＩＤ、興行ＩＤ、券種（座席の種類）、座席番号（指定席の場合）、購入者の利用者ＩＤ、ステータス（既使用／未使用等）、利用者の個人に関する情報（例えば、一意の利用者ＩＤ、氏名、年齢、住所、性別、その他の属性、連絡先（メールアドレス、ＳＮＳ）等）、興行に関する情報（例えば、興行ＩＤ、興行名、開催日時、開催場所等）を格納する。１枚のチケットに対応する１つのチケットＩＤに対し、１つの利用者ＩＤ、及び１つの興行ＩＤが紐づけられ、チケットＩＤを特定すれば、そのチケットを購入した利用者に関する情報やそのチケットで入場できる興行の情報を特定することができる。利用者ＩＤは、個人に対し原則として１つだけ割り当てられる識別情報（例えば、個人識別番号（いわゆるマイナンバー））を用いることが好ましい。このようにすれば、１人の利用者が複数の利用者ＩＤを利用して不正を行うことを防ぐことができる。
【００３２】
サーバ２の制御部２２は、携帯端末３やチェック装置４から送信される情報やリクエスト等に基づき、記憶部２１に記憶されたプログラムに従った処理を実行する。
【００３３】
〔携帯端末３の構成〕
携帯端末３は、例えば、タブレット型端末やスマートフォンであり、タッチパネル、ＣＰＵ等の演算部及びＲＡＭ、ＲＯＭ等の記憶装置、液晶ディスプレイ等の表示装置、音声を出力するスピーカ、音声を集音するマイク等から構成される。本実施形態の携帯端末３は、表示装置のバックライトを点滅させて可視光通信により情報を送信する機能を有する。
【００３４】
図３は、携帯端末３の機能ブロック図を示している。図３に示すように、携帯端末３は、少なくとも、操作部３１、記憶部３２、制御部３３、通信部３４、及び表示部３５を備える。
【００３５】
操作部３１は、利用者による操作を受け付ける。操作部３１は、表示部３５に重ねて配置されたタッチパネル３１１と、その他の物理的な操作ボタン３１２とを含む。記憶部３２は、制御部３３で実行するプログラムや、当該プログラムで用いるデータ等を記憶する。記憶部３２には、例えば、オペレーションシステム（ＯＳ）、電子チケットシステム１のためのアプリケーションプログラム（以下では単に、電子チケットアプリケーションという）や、電子チケットアプリケーションで用いる購入した電子チケットのデータ、チェック装置４の接触部材４０２の配置パターンを示す基準接触位置パターン、利用者の情報等が記憶されている。基準接触位置パターンは、複数種類記憶されていてもよい。また、基準接触位置パターンは、チケットＩＤに対応付けて異なるパターンが記憶されていてもよい。
【００３６】
電子チケットアプリケーションは、電子チケットシステム１を利用するための専用のアプリケーションソフトでもよいが、ブラウザやメッセンジャーアプリケーションであってもよい。ブラウザやメッセンジャーアプリケーションを電子チケットアプリケーションとする場合には、携帯端末３により電子チケットアプリケーションを利用してサーバ２にアクセスし、サーバ２のデータベースＤＢから、随時、購入した電子チケットに関するデータ等を取得して表示するように構成するとよい。このような構成を採用する場合、携帯端末３では必要最小限の情報のみを記憶部３２に格納し、それ以外の情報はサーバ２から適宜取得するようにしてもよい。
【００３７】
制御部３３は、記憶部３２に記憶されている電子チケットアプリケーションをはじめとする各種のプログラムを実行する。電子チケットアプリケーションでは、記憶部３２に記憶されている各種データや、操作部３１の操作に基づいた処理が行われる。また、制御部３３は、タッチパネル３１１への操作、記憶部３２に記憶されている電子チケットの情報等に基づき電子チケット使用要求情報を生成し、後述する可視光通信信号処理部３４２に出力する。すなわち、制御部３３は、本発明におけるキー情報生成手段として機能する。
【００３８】
通信部３４は、ネットワークＮＷを介して、サーバ２との通信を行うネットワーク通信部３４１と、可視光通信信号処理部３４２とを備える。可視光通信信号処理部３４２は、制御部３３から電子チケット使用要求情報を受け取り、この電子チケット使用要求情報の符号化等の信号処理を行う。そして、符号化した電子チケット使用要求情報を、後述するバックライト制御部３５３に出力する。
【００３９】
表示部３５は、液晶ディスプレイ等の表示パネル３５１を備えており、制御部３３による制御の下、供給される映像信号に基づいて各種の情報（例えば、電子チケットの券面）を表示する。表示部３５は、タッチパネル３１１と協働してタッチ入力インタフェースを実現する。また、表示部３５は、バックライト３５２及びバックライト制御部３５３を備える。
【００４０】
バックライト３５２の発光面は複数の領域に分割されており、領域毎に異なる発光状態とすることができる。バックライト３５２は、表示パネル３５１に対して背面側から光を照射する。より具体的には、バックライト３５２は、表示パネル３５１の表示面を背面から照明する発光面を有する。これにより、携帯端末３の利用者は、表示パネル３５１に表示されている映像を視認することができる。
【００４１】
バックライト制御部３５３は、映像信号及び可視光通信の送信信号に基づいてバックライト制御信号により、バックライト３５２の輝度や点灯／消灯のタイミングを制御する。すなわち、バックライト３５２の発光面における複数の領域のそれぞれについて映像信号に基づいて発光の制御を行う。また、バックライト制御部３５３は、可視光通信信号処理部３４２が可視光通信の送信信号を出力する期間には、分割された発光面の複数の領域のうちの少なくとも１つの領域である可視光通信領域ＶＬにおいて、映像信号に基づく発光の制御に代えて可視光通信に基づく発光の制御を行う。可視光通信領域ＶＬは、発光面全体としてもよいが、後述のように一部の領域とすることが好ましい。
【００４２】
図４は、チェック装置４の外観図を示す斜視図であり、図５はチェック装置４の構成を示すブロック図である。チェック装置４は、電子チケットシステム１において、携帯端末３に記憶された電子チケットを使用する際に、電子チケットの使用可否の確認及び消し込みを行うために用いられる。チェック装置４は、その構成部材を収容する筐体４０を備える。筐体４０の外壁は導電性とされる。筐体４０は、底面の中央部に受光窓４０１を有し、底面の外周部に携帯端末３のタッチパネル３１１に接触等させるための突起である複数の接触部材４０２を有する。筐体４０の側面には、ＬＥＤ（発光ダイオード）４０３が配置されている。筐体４０の内部には、受光窓を透過して入力される光を受光する受光素子（フォトダイオード等）４１、基板ユニット４２、及びスピーカ４３が収容されている。基板ユニット４２は、ＣＰＵ等の制御部４２１、フラッシュメモリ等の記憶部４２２、外部機器との間で信号の送受信を行う通信部４２３を備えている。基板ユニット４２は、筐体４０の内部に固定されており、ＬＥＤ４０３、受光素子４１、及びスピーカ４３は筐体４０の所定位置に固定されるとともに、基板ユニット４２に接続されている。ＬＥＤ４０３及びスピーカ４３は、本発明における通知手段に相当する。
【００４３】
複数の接触部材４０２は、導電性であり、筐体４０の外壁と導通している。したがって、筐体４０を把持して接触部材４０２を携帯端末３のタッチパネル３１１に接触させれば、タッチパネル３１１が静電容量式か感圧式かに関わらず、接触部材４０２による接触位置をタッチパネル３１１に検知させることができる。複数の接触部材４０２は、筐体４０の底面の外周部において、チェック装置４の種類（又は個体）に応じて異なる位置に設けられる。すなわち、接触部材４０２の配置に基づき１つのチェック装置４を種類が異なる（つまり接触部材４０２の配置が異なる）チェック装置４と識別することができる。
【００４４】
記憶部４２２は、制御部４２１で実行するプログラムや、当該プログラムで用いるデータ等を記憶する。記憶部４２２には、例えば、オペレーションシステム（ＯＳ）、電子チケットの消し込み処理を行うプログラムをはじめとする各種のプログラム、各プログラムで用いる各種データ（例えば電子チケットのＩＤとステータスとを対応付けたリスト、当該チェック装置４自身の識別ＩＤ等）等が記憶されている。
【００４５】
通信部４２３は、ネットワークＮＷを介して、サーバ２との通信を行う。また、通信部４２３は、符号化された電子チケット使用要求情報を、受光素子４１を介して受け取り、この電子チケット使用要求情報を復号化して制御部４２１に送る。
【００４６】
制御部４２１は、記憶部４２２に記憶されている各種のプログラムを実行し、チェック装置４を制御する。例えば、制御部４２１は、復号化された電子チケット使用要求情報を通信部４２３から受け取り、電子チケット使用要求情報に含まれる電子チケットのＩＤに基づき電子チケットが使用可能であること（すなわち、リストにＩＤが記録されていること、及び、ステータスが「未使用」であること）を確認する。使用可能である場合、ＬＥＤ４０３の発光やスピーカ４３からの音声により、電子チケットが使用可能であることが確認できた旨を周囲に知らしめるとともに、電子チケットのＩＤのリストにおいて、当該ＩＤに対応するステータスを「使用済み」とする。
【００４７】
〔電子チケットシステムの動作〕
上記のように構成される電子チケットシステム１を利用した電子チケット使用時の処理を説明する。電子チケットを使用する利用者は、購入、譲渡等に必要な手続きを経て、自らの携帯端末３で予め電子チケットの情報を受け取り、電子チケットアプリケーションにてこれらの情報に基づいた処理を実行させる。
【００４８】
利用者が携帯端末３の操作部３１を操作して電子チケットアプリケーションを起動すると、制御部３３は、表示部３５に電子チケットを選択可能に表示させる。電子チケット利用者が操作部３１を操作して所望の電子チケットを選択すると、制御部３３は、当該選択した電子チケットの情報に基づいて、表示部３５に、選択した電子チケットの券面を表示させる。例えば、図６に示したように、制御部３３は、表示部３５に、券面の画像に重畳して、興行名（ＴＩ１）、開催日時（ＴＩ２）、券種（ＴＩ３）、座席番号等（ＴＩ４）の情報を表示させるとよい。電子チケット使用時の処理は、電子チケットの券面を表示することに伴い開始される。
【００４９】
図７は、電子チケット使用時の電子チケットシステム１による処理の手順を示すフローチャートである。利用者は、イベントの当日、イベントの入場口にて上記の操作により電子チケットの券面を携帯端末３の表示部３５に表示させ、入場口の係員に提示する（ステップＳ１００）。係員は、当該イベントの電子チケットの券面が当該イベントのものであることを目視で確認しつつ、チェック装置４を携帯端末３のタッチパネル３１１に押し当てる（ステップＳ１１０）。
【００５０】
このとき、表示部３５に券面が表示された状態でチェック装置４を押し当てるように構成してもよいし、消込用の画面を表示してからチェック装置４を押し当てるように構成してもよい。携帯端末３のタッチパネル３１１は、チェック装置４の接触部材４０２による接触位置を検知する（ステップＳ１２０）。
【００５１】
そして、携帯端末３の制御部３３は、タッチパネル３１１で検知した接触位置に基づき、押し当てられたチェック装置４の識別ＩＤを認識し、検知した接触位置が所定の基準接触位置パターンに合致するか否かを判定する（ステップＳ１３０）。すなわち、制御部３３は、本発明における判定手段として機能する。検知した接触位置が記憶部３２に格納されている基準接触位置パターンに合致しない場合（ステップＳ１３０；Ｎｏ）、処理を終了する。一方、検知した接触位置が基準接触位置パターンに合致する場合（ステップＳ１３０；Ｙｅｓ）、携帯端末３の制御部３３は、電子チケットのチケットＩＤ、現在時刻（タイムスタンプ）、及びステップＳ１３０で認識したチェック装置４の識別ＩＤを含む電子チケット使用要求情報を生成し、可視光通信信号処理部３４２に出力する。可視光通信信号処理部３４２は、電子チケット使用要求情報を符号化してバックライト制御部３５３に出力する（ステップＳ１４０）。
【００５２】
図８は、このとき可視光通信信号処理部３４２により生成される電子チケット使用要求情報のフォーマットの一例を示している。電子チケット使用要求情報は、冒頭から順に、ヘッダ部ＨＤ、チケットＩＤ（ＴＩＤ）、タイムスタンプＴＳ、及びチェック装置４の識別ＩＤ（ＲＩＤ）で構成される。なお、チケットＩＤに代えて又は加えて利用者ＩＤを電子チケット使用要求情報に含めてもよい。ヘッダ部ＨＤは電子チケット使用要求情報の開始部分を示す特定のパターンやその他の付加的な情報を含んでいる。チケットＩＤ（ＴＩＤ）は、使用する（つまり、表示部に表示している）電子チケットに対応するチケットＩＤである。タイムスタンプＴＳは、携帯端末３内部のタイマにて計時している現在時刻である。また、チェック装置４の識別ＩＤ（ＲＩＤ）は、チェック装置４を識別する一意のコードでありチェック装置４が備える接触部材４０２の配置により特定される。なお、チェック装置４の識別ＩＤを接触部材４０２の配置以外の方法（例えば、近距離無線通信、Ｂｌｕｅｔｏｏｔｈ（登録商標）等の無線通信）で携帯端末３が取得するように構成しても構わない。タイムスタンプＴＳ及びチェック装置４の識別ＩＤ（ＲＩＤ）は、本発明におけるキー情報に相当し、電子チケットが使用されるタイミングで携帯端末３により生成される。
【００５３】
制御部３３は、上述の一連のフォーマットを繰り返し出力する。このとき、タイムスタンプＴＳを繰り返しの周期ごとに更新してもよい。このようにすれば、電子チケット使用要求情報を模倣した光を生成することが困難になり、不正を防止することができる。なお、より簡易的には、制御部３３は上記フォーマットの電子チケット使用要求情報を一度だけ出力し、可視光通信信号処理部３４２又はバックライト制御部３５３にて情報を繰り返し出力するように構成してもよい。
【００５４】
また、携帯端末３の制御部３３は、ステップＳ１２０で検知したチェック装置４の接触部材４０２による接触位置に基づき、信号を送信すべく可視光通信においてバックライト３５２を点滅させる領域である可視光通信領域ＶＬを決定する（ステップＳ１５０）。例えば、４つの接触部材４０２をそれぞれチェック装置４の底面の四隅に配置し、これら４つの接触部材４０２による接触位置にて規定される長方形の内部を可視光通信領域ＶＬとするとよい。
【００５５】
続いて、可視光通信により、携帯端末３からチェック装置４に電子チケット使用要求情報を送信し、チェック装置４はこれを受信する（ステップＳ１６０）。具体的には、バックライト制御部３５３は、受け取った符号化された電子チケット使用要求情報に基づきバックライト３５２における可視光通信領域ＶＬを点滅させる。このとき、券面の画像を表示したまま、券面の画像に重畳して可視光通信領域ＶＬで電子チケット使用要求情報を送信してもよいし、可視光通信領域ＶＬでは券面を表示しないようにしてもよい。チェック装置４の受光素子４１は、受光窓４０１を介して入射するバックライト３５２の発光を受光する。受光素子４１は、バックライト３５２の点滅に基づき光電変換を行い、符号化された電子チケット使用要求情報を電気信号に戻して通信部４２３に出力する。通信部４２３は、電子チケット使用要求情報を復号化して、制御部４２１に送信する。
【００５６】
制御部４２１は、受け取った電子チケット使用要求情報に基づき、電子チケットの使用可否を判定する（ステップＳ１６５）。判定の具体例としては、制御部４２１は、電子チケット使用要求情報に含まれる電子チケットのチケットＩＤが、記憶部４２２に格納されたリストに格納されていること、このチケットＩＤに対応付けられたステータスが「未使用」であること、電子チケット使用要求情報に含まれるタイムスタンプが現在時刻の前後所定の許容範囲内（例えば、チェック装置４内のタイマにおける現在時刻の前後５分以内）の時刻であること、及び電子チケット使用要求情報に含まれるチェック装置４の識別ＩＤがチェック装置４自身の識別ＩＤに一致すること、の全ての条件を満たす場合に、電子チケットが使用可能であると判定するとよい。
【００５７】
電子チケットの使用可否を判定する際の判定条件にタイムスタンプやチェック装置４の識別ＩＤを用いることで、電子チケット使用要求情報に基づく発光のパターンを模擬した不正を行いにくくすることができる。
【００５８】
制御部４２１は、電子チケットが使用可能であると判定した場合（ステップＳ１６５；Ｙｅｓ）、記憶部４２２に格納している電子チケットのチケットＩＤのリストを更新するともに、ＬＥＤ４０３の発光（例えば特定の点滅パターン）やスピーカ４３からの音声（例えばチャイム音）により、電子チケットが使用可能であることが確認できた旨を周囲に知らしめ（ステップＳ１７０）、処理をステップＳ１９０に進める。一方、電子チケットが使用不可能なものと判定された場合（ステップＳ１６５；Ｎｏ）、ＬＥＤ４０３の発光（例えば特定の点滅パターン）やスピーカ４３からの音声（例えばブザー音）により、電子チケットが使用できないものである旨を周囲に知らしめ（ステップＳ１８０）処理をステップＳ１９０に進める。続いて、チェック装置４を携帯端末３から離したことに応じて携帯端末３が電子チケット使用要求情報の送信を終了し（ステップＳ１９０）、処理を終了する。
【００５９】
上述の処理の後、チェック装置４は、ネットワークＮＷを介して適宜サーバ２と通信し、消し込みをした電子チケットのＩＤをサーバ２に送信するとよい。サーバ２は、データベースＤＢに格納している電子チケットの情報においてチェック装置４にて消し込んだ電子チケットのステータスを「使用済み」に更新するとともに、その電子チケットに対応する携帯端末３において電子チケットが使用済みとして表示されるよう、必要な情報をネットワークＮＷを介して携帯端末３に送信する。また、複数のチェック装置４により並行して電子チケットの消し込みを行っている場合には、サーバ２は、ステータスが「使用済み」となった電子チケットの情報を、各チェック装置４に配信するとよい。このようにすれば、重複した電子チケットの使用を防ぐことができる。なお、上記の処理後にサーバ２等により行われる処理は、通信速度の制約がなければ事後処理ではなくリアルタイムで実行するようにしてもよい。
【００６０】
サーバ２からの情報に基づき、携帯端末３において電子チケットが使用済みとされた場合、その後に携帯端末３に当該電子チケットを表示してチェック装置４を押し当てても、電子チケット使用要求情報が送信されないように構成するとよい。このようにすれば、電子チケットが不正に複数回使用されることを防ぐことができる。
【００６１】
以上のような構成により、スムーズな入場処理が可能となるとともに、不正な電子チケットの使用を防ぐことができる。
〔実施形態の変形〕
【００６２】
なお、上記に本発明の実施形態を説明したが、本発明はこれらの例に限定されるものではない。例えば、上記の実施形態では、電子チケットの適用対象として、イベント等の興行の入場券を想定したが、本発明は興行の以外のチケットにも適用可能である。例えば、本発明の電子チケットシステムを鉄道の乗車券、特急券、指定席券当の各種チケット、飛行機の搭乗券等に代表される交通機関でのチケットに適用してもよい。
【００６３】
また、上記の実施形態では、キー情報として、タイムスタンプＴＳ及びチェック装置４の識別ＩＤ（ＲＩＤ）を用いたが、これらと代えて、又はこれらに加えて、携帯端末３の位置情報を用いてもよい。なお、携帯端末３の位置情報はＧＰＳ（Global Positioning System）等の公知の手法により取得するとよい。そして、電子チケット使用要求情報に携帯端末３の現在位置を示す位置情報を含めるように構成し、チェック装置４において電子チケット使用要求情報に含まれる位置情報が所定の領域内を示しているか否かに基づき電子チケットの使用可否を判定するとよい。キー情報は、上記以外の情報であっても構わないが、携帯端末３の位置情報や時刻のようにリアルタイムで変化する情報であることが好ましい。例えば、キー情報として、携帯端末３が備えるジャイロセンサ（加速度センサ）の出力値、地磁気を検出する磁気センサの出力値等を用いてもよい。なお、携帯端末３内に保有している情報、ブラウザ内に保有している情報、アプリケーション内に保有している情報、および携帯端末３が備えるセンサ等にて取得できる情報のうちの任意の情報を、電子チケット使用要求情報に含めて携帯端末３側から送信し、これを受け取ったサーバ２にて不正チェック等の任意の目的で使用してもよい。
【００６４】
また、上記の実施形態では、電子チケット使用要求情報を可視光通信により携帯端末３からチェック装置に送信したが、携帯端末３は他の方法で電子チケット使用要求情報を出力してもよい。例えば、近距離無線通信、Ｂｌｕｅｔｏｏｔｈ（登録商標）、無線ＬＡＮ等の無線通信にて電子チケット使用要求情報を送信するようにしてもよいし、電子チケット使用要求情報をバーコード、ＱＲコード（登録商標）等として表示パネル３５１に表示するようにしてもよい。バーコード、ＱＲコード（登録商標）等として電子チケット使用要求情報を表示パネル３５１に表示する場合、チェック装置４ではこれらのコードを撮像素子にて読み取るようにするとよい。また、バーコード、ＱＲコード（登録商標）といった静止画像ではなく、動画として電子チケット使用要求情報を表示パネル３５１に表示するようにしてもよい。動画として電子チケット使用要求情報を表示する場合の具体例としては、例えば、電子チケット使用要求情報を、画面内を移動する１または複数の点の移動軌跡により表すようにするとよい。動画として電子チケット使用要求情報を表示パネル３５１に表示する場合にも、チェック装置４ではこれらのコードを撮像素子にて読み取るようにするとよく、チェック装置４は読み取った動画を解析して当該動画が示す電子チケット使用要求情報を特定するとよい。また、電子チケット使用要求情報を可聴域及び／又は不可聴域の音として携帯端末３が有するスピーカから出力するようにしてもよい。この場合、チェック装置４では携帯端末３から発せられる音をマイクにて取得するようにするとよい。
【００６５】
また、チェック装置４の接触部材の少なくとも１つに感圧センサを設け、当該感圧センサが接触圧を感知したタイミングよりも所定時間以上前から、受光素子４１が電子チケット使用要求情報を受信し始めていた場合に、不正の可能性があるものとして、ＬＥＤ４０３やスピーカ４３により周囲に報知するようにしてもよい。このようにすれば、電子チケット使用要求情報を模擬したパターンで発光を繰り返すデバイスを予め準備することによる不正を困難にすることができる。
【００６６】
また、上記の実施形態では、電子チケットが使用済みとされた場合、その後に携帯端末３に当該電子チケットを表示してチェック装置４を押し当てても、電子チケット使用要求情報が送信されないように構成したが、電子チケットが使用済みとされた後でも、電子チケット使用要求情報が送信されるように構成してもよい。このようにすれば、使用済みの電子チケットを、従来の紙のチケットにおけるいわゆる半券（もぎりが済んだチケット片）と同様に使用し、再入場の可否判断や特定エリア（例えば指定席エリア）への入場可否判断に用いることができる。
【００６７】
このように使用済みの電子チケットを半券として利用する場合、再入場の可否や特定エリア（例えば指定席エリア）への入場可否を、通常の入場時と同様にチェック装置４を用いて判断するようにするとよい。その際、携帯端末３から送信する可視光通信信号に含める情報は通常の入場時と同様としてもよいが、ステータスが「既入場」であることを示す情報を含めるようにしてもよい。また、チェック装置４での判定条件は、チケットＩＤ、タイムスタンプ、識別ＩＤ、判定条件については通常の入場時と同様とするとよい。また、チェック装置４の記憶部４２２に格納されたリストにおいてチケットＩＤに対応するステータスが「既使用」であることを判定条件に含めてもよい。
【００６８】
また、上記の実施形態では、チェック装置４は、入場口の係員が保持できる携帯型の装置としたが、チェック装置４を定置型の構成（例えば入場ゲートと一体とされた形態）としてもよい。また、上記の実施形態では、チェック装置４は、一体として形成された端末装置にて、受光素子等による電子チケット使用要求を受信する機能と、電子チケット使用要求に基づき使用可能を判定する機能との両方を実施したが、受光素子等による電子チケット使用要求を受信する機能と、電子チケット使用要求に基づき使用可能を判定する機能とを、物理的に離間した別体の装置にて実施するように構成してもよい。この場合、電子チケット使用要求を受信する機能は入場口の係員が保持できる携帯型の装置として実現し、電子チケット使用要求に基づき使用可能を判定する機能は定置型の装置として実現するとよい。
【００６９】
また、上記の実施形態では、チェック装置４とは別のサーバ２が電子チケットに関するデータベースＤＢを有し、電子チケットに関する諸情報（チケットＩＤ、利用者ＩＤ、ステータス等）を管理したが、チェック装置４がデータベースＤＢを備えるように構成してもよい。このようにすれば、サーバ２とチェック装置４との間の通信が不要となり、通信環境の整っていない場所でも電子チケットシステムを利用することが可能となる。
【００７０】
また、前述の実施形態に対して、当業者が適宜、構成要素の追加、削除、設計変更を行ったものや、各実施形態の特徴を適宜組み合わせたものも、本発明の要旨を備えている限り、本発明の範囲に含有される。
【符号の説明】
【００７１】
１  電子チケットシステム
２  サーバ
３  携帯端末
４  チェック装置
ＮＷ  ネットワーク
【図１】
2018225812.tif 000003
【図２】
2018225812.tif 000004
【図３】
2018225812.tif 000005
【図４】
2018225812.tif 000006
【図５】
2018225812.tif 000007
【図６】
2018225812.tif 000008
【図７】
2018225812.tif 000009
【図８】
2018225812.tif 000010
【国際調査報告】
2018225812.tif 000011
2018225812.tif 000012
2018225812.tif 000013